(57)【特許請求の範囲】
【請求項１】
定形の外殻を形成し、かつスクイズ性を有する合成樹脂製の外層（３）と、該外層（３）に剥離自在に積層され、内袋を形成する可撓性合成樹脂製の内層（４）とで構成し、胴部上端に起立連設された円筒状の口部（６）の外層口部部分（７）に、前記外層（３）と内層（４）との間に外気を侵入させる吸気口（９）を開設した壜体（１）の前記口部（６）に組付く注出キャップであって、前記外層（３）の前記吸気口（９）よりも下位の部分に密接するシール条（２４）を内周面に突周設し、前記口部（６）の外周に螺合する組付き筒（２２）の上端内方に、頂壁（２５）を介して螺筒（２６）を立設すると共に、該螺筒（２６）の内方に、通気口（２９）を開設した上端部のフランジ壁（２８）を介して注出筒（３０）を連設し、該注出筒（３０）の内方に注出口（３１）を、外方の前記螺筒（２６）との間に通気路（３４）をそれぞれ形成したキャップ本体（２１）と、前記注出筒（３０）の下端部と組付き筒（２２）の内周面上端部に密接して前記キャップ本体（２１）に内装され、中央に開口部（３６）を、周縁部に通気孔（４２）をそれぞれ開設し、前記壜体（１）の口部（６）に密に嵌入組付けされた中栓体（１１）の筒壁（１２）の上端面に密接するシール体（３５）と、前記開口部（３６）の上端に配設された逆止弁である注出弁（３２）と、前記通気路（３４）の下端に配設された逆止弁である吸気弁（４３）と、前記螺筒（２６）の外周に螺合組付けされ、前記注出口（３１）を開閉する上キャップ（４４）と、から成る注出キャップ。
【請求項２】
壜体(1)の口部(6)に、上端開口部を、易剥離性のシール片(15)で接着密閉した中栓体(11)を密に嵌入組付けした構成において、前記中栓体(11)の上端面に対向するシール体(35)の下面箇所に、前記中栓体(11)の上端面に密接するシール突条(39)を突周設した請求項１記載の注出キャップ。
【発明の詳細な説明】
【０００１】
【発明の属する技術分野】
本発明は、定形の外殻を形成する外層内に、変形自在な内袋を形成する内層を剥離自在に積層して構成した合成樹脂製壜体の口部に組付けて使用される注出キャップに関するものである。
【０００２】
【従来の技術】
定形の外殻を形成する外層内に、変形自在な内袋を形成する内層を剥離自在に積層して構成し、この内層内に外気が入らないようにして嫌気性内容液を収納する合成樹脂製ブロー成形壜体が知られている。
【０００３】
この壜体の口部には、通常、注出キャップとしてポンプ付きキャップが組付けてあり、ポンプを押圧操作することにより、内層内の内容液が注出されると共に、内層が減容化変形するように構成されている。
【０００４】
【発明が解決しようとする課題】
ところで、最近、この種の２層構造の壜体をスクイズ容器に形成して食品用容器として使用することが考えられているが、その場合、内容液の注出は、ポンプ付きキャップのポンプ操作ではなく、壜体胴部のスクイズ操作によることとなるため、従来のポンプ付きキャップに代る新たな注出キャップが必要とされる。
【０００５】
そこで、本発明は、上記課題に鑑みて創案されたもので、定形の外殻を形成し、かつスクイズ性を有する外層と、変形自在な内袋を形成する内層とから構成される２層構造の壜体に、良好に適合する注出キャップを提供することを目的とする。
【０００６】
【課題を解決するための手段】
上記技術的課題を解決する本発明の内、請求項１記載の発明の手段は、
定形の外殻を形成し、かつスクイズ性を有する合成樹脂製の外層と、この外層に剥離自在に積層され、内袋を形成する可撓性合成樹脂製の内層とで構成し、胴部上端に起立連設された円筒状の口部の外層口部部分に、外層と内層との間に外気を侵入させる吸気口を開設した壜体の口部に組付く注出キャップであること、
壜体の外層の吸気口よりも下位の部分に密接するシール条を内周面に突周設し、口部の外周に螺合する組付き筒の上端内方に、頂壁を介して螺筒を立設すると共に、この螺筒の内方に、通気口を開設した上端部のフランジ壁を介して注出筒を連設し、この注出筒の内方に注出口を、外方の螺筒との間に通気路をそれぞれ形成したキャップ本体を有すること、
キャップ本体の注出筒の下端部と、組付き筒の内周面上端部とに密接してキャップ本体に内装され、中央に開口部を、周縁部に通気孔をそれぞれ開設し、壜体の口部に密に嵌入組付けされた中栓体の筒壁の上端面に密接するシール体を有すること、
キャップ本体の開口部の上端に配設された逆止弁である注出弁を有すること、
キャップ本体の通気路の下端に配設された逆止弁である吸気弁を有すること、
キャップ本体の螺筒の外周に螺合組付けされ、注出口を開閉する上キャップを有すること、
にある。
【０００７】
注出キャップを壜体口部に組付けると、組付き筒の内部は、吸気弁、シール体、シール条により密閉され、かつ吸気口を介して外層と内層の間に連通する。
【０００８】
内容液の注出に際して、上キャップを取外して壜体を傾け、その胴部を押圧すると、内容液の液圧により注出弁が開いて注出口から内容液が注出され、次いで胴部の押圧を解放すると、スクイズ性の外層が原形に復帰しようとするため、この外層と、減容化変形した内層との間に負圧が発生する。
【０００９】
この負圧により吸気弁が開くため、外気が、通気口からキャップ本体内の通気路に侵入し、吸気弁からシール体の通気孔を通り、さらに組付き筒の螺条と口部の螺条との間を通って、吸気口から外層と内層との間に侵入するため、外層と内層との剥離が進行すると共に、外層の原形への復帰が円滑にかつ迅速に達成される。
【００１０】
請求項２記載の発明は、請求項１記載の発明の構成に、壜体の口部に、上端開口部を、易剥離性のシール片で接着密閉した中栓体を密に嵌入組付けした構成において、中栓体の上端面に対向するシール体の下面箇所に、中栓体の上端面に密接するシール突条を突周設した、ことを加えたものである。
【００１１】
この請求項２記載の発明にあっては、バージンシールを兼ねたシール片の剥離除去後における、壜体の注出キャップによる密閉保持を、強固にかつ確実に達成できることになる。
【００１２】
【発明の実施の形態】
以下、本発明の一実施例を、図面を参照しながら説明する。
本発明に係る注出キャップ２０が組み付けられる壜体１は、定形の外殻を形成し、かつスクイズ性を有するポリエチレン製の外層３と、変形自在な内袋を形成するナイロン製の内層４と、接着性樹脂製の一対の接着帯５（図４参照）とを、共押出し成形手段により積層円筒状に押出し成形したパリソンからブロー成形された壜本体２と、この壜本体２の口部６に密に嵌入組付けされる中栓体１１と、から構成されている。
【００１３】
壜本体２の口部６を構成する外層口部部分７には、注出キャップ２０を螺合組付けするための螺条８が外周面に刻設されていると共に、その下方の接着帯５を避けた位置に、外層３と内層４との間に外気を侵入させるための吸気口９が開設してあり、また段状に形成された上端面には、内層４の上端部分１０が積層状に位置している。
【００１４】
外層３と内層４との一部を接着固定する一対の接着帯５は、壜本体２の対称位置に、全高さ範囲に亘って比較的幅広に形成されており、これにより内層４の減容化変形を、偏平に潰れる略一定した形態で進行させることができると共に、各接着帯５の側近内方に内容液の通路１６が確保される（図４参照）。
【００１５】
軟質ポリエチレン樹脂製の中栓体１１は、口部６に密嵌入する筒壁１２の外周面上端部に、下面が口部６の上端面に当接して、内層４の上端部分１０を外層３の上端面との間で強固に挟持固定する外フランジ１３を周設すると共に、筒壁１２の下端部内に、その下部分を下方に突出させた、十字形の交叉板１４（図３参照）を架設して構成されている。
【００１６】
また、筒壁１２の上端面には、内容液充填後、アルミ箔を主体とする円形のシール片１５の下面周縁部を、高周波シール等により剥離可能に接着して、壜体１を密封する。
【００１７】
なお、交叉板１４を設けたことにより、内容液の注出使用により減容化変形した内層４の一部が筒壁１２内、すなわち口部６内に侵入することを防止でき、もって筒壁１２が内層４により塞がれると云うことがなく、内容液の通路が常に確保される。
【００１８】
本発明に係る注出キャップ２０は、注出口３１を有し壜本体２の口部６に組付くキャップ本体２１と、このキャップ本体２１に内装されたシール体３５と、注出口３１を開閉する上キャップ４４と、から構成されている。
【００１９】
キャップ本体２１は、外層口部部分７の螺条８に螺合する螺条２３を内周面に刻設し、かつ外層３に密接するシール条２４を、内周面下端部に突周設した組付き筒２２の上端内方に、内鍔状の頂壁２５を介して、外周面に螺条２７を刻設した螺筒２６を立設すると共に、この螺筒２６の内方に、複数の通気口２９を開設した上端のフランジ壁２８を介して注出筒３０を連設し、この注出筒３０の内方に注出口３１を、外方の螺筒２６との間に通気路３４を、それぞれ形成して構成されている。
【００２０】
キャップ本体２１の注出筒３０の外周面下端部は、段部を介して縮径し、また、下端部内には、連結部３３を介して注出弁３２が配設されている。
【００２１】
キャップ本体２１の注出弁３２により開閉される開口部３６を中央に開設したシール体３５は、注出筒３０の下端部が嵌合する係合溝３７を上面に周設すると共に、その外方に内筒片３８を立設し、下面には、前記中栓体１１の筒壁１２の上端面に密接するシール突条３９を突周設すると共に、その外方に筒壁１２の上端部に外嵌する嵌合筒片４０を垂下設し、また周縁に、組付き筒２２と頂壁２５の各内面に密接し、かつ複数の通気孔４２が開設された外筒片４１を連設して構成されている。
【００２２】
また、シール体３５の上方には、基端部を内筒片３８の上端面と注出筒３０の段部とにより挟持固定され、先端部上面が頂壁２５の下面に密接して通気路３４を開閉するリング状の吸気弁４３が配設されている。
【００２３】
上キャップ４４は、周壁の内周面に、キャップ本体２１の螺条２７に螺合する螺条４５を刻設すると共に、頂壁の下面に、注出筒３０の上端部に密嵌入する栓筒片４６と密外嵌するシール筒片４７とをそれぞれ垂下設して構成されている。
【００２４】
壜体１は、消費者が購入するまでは、シール片１５でその密封を確保した状態で、注出キャップ２０を組付けた構成となっており、この構成では、シール片１５による優れたシール性が効果的に発揮されると共に、機械的強度が決して充分ではないシール片１５を、注出キャップ２０が保護している。
【００２５】
シール片１５を剥離除去した後は、シール体３５のシール突条３９が、中栓体１１の上端面に密接して、壜体１に対するキャップ本体２１の密な組付きを確保するので、壜体１の開閉はキャップ本体２１に対する上キャップ４４の着脱により、支障なく達成される。
【００２６】
【発明の効果】
本発明は、上記した構成となっているので、以下に示す効果を奏する。
請求項1記載の発明にあっては、この種の２層構造で、かつスクイズ性の壜体に組み付けて使用することにより、この壜体のスクイズ操作による内容液の注出、およびその後の、外層の原形への復帰を、円滑にかつ確実に達成することができ、もって良好な使用状態を得ることができる。
【００２７】
請求項２記載の発明にあっては、シール片を設けることにより、開封前の壜体の密封を確保した壜体に対し、シール片の剥離除去後も、壜体の密閉を安定的に確保して、壜体の安全な使用状態を得ることができる。
【図面の簡単な説明】
【図１】本発明の一実施例を示す、壜体に組付けた状態の半縦断正面図。
【図２】図１に示した実施例の、要部拡大半縦断面図。
【図３】図１に示した実施例における、中栓体の平面図。
【図４】図１中、Ａ−Ａ線断面図。
【符号の説明】
１  ；  壜体
２  ；  壜本体
３  ；  外層
４  ；  内層
５  ；  接着帯
６  ；  口部
７  ；  外層口部部分
８  ；  螺条
９  ；  吸気口
１０；  上端部分
１１；  中栓体
１２；  筒壁
１３；  外フランジ
１４；  交叉板
１５；  シール片
１６；  通路
２０；  注出キャップ
２１；  キャップ本体
２２；  組付き筒
２３；  螺条
２４；  シール条
２５；  頂壁
２６；  螺筒
２７；  螺条
２８；  フランジ壁
２９；  通気口
３０；  注出筒
３１；  注出口
３２；  注出弁
３３；  連結部
３４；  通気路
３５；  シール体
３６；  開口部
３７；  係合溝
３８；  内筒片
３９；  シール突条
４０；  嵌合筒片
４１；  外筒片
４２；  通気孔
４３；  吸気弁
４４；  上キャップ
４５：  螺条
４６；  栓筒片
４７；  シール筒片
【図１】
0004281265.tif 000002
【図２】
0004281265.tif 000003
【図３】
0004281265.tif 000004
【図４】
0004281265.tif 000005